(57)【要約】【課題】従来よりもノイズ対策を強化する。【解決手段】前ハーフ１１および後ハーフ１２により構成され、放電灯に装着されるソケット部１０を一体に有するハウジングと、このハウジング内に収納されるイグナイタと、ハウジングの一の側およびその反対側からそれぞれそのハウジングを包み込み、灯体内の導電部分と電気的に接続されるシールドカバー１３およびシールドカバー１４とを備えた。【選択図】  図１
2004356070.tif 000002
【特許請求の範囲】
【請求項１】
点灯装置から灯体内で支持される放電灯への電力供給経路上に介設される放電灯始動装置であって、前記放電灯に装着されるソケット部を一体に有するハウジングと、このハウジング内に収納されるとともに、前記点灯装置から前記ソケット部に装着される放電灯の各電極への電力供給経路上に介設され、前記放電灯の始動時に高圧パルス電圧を前記放電灯に印加するパルストランスと、前記ハウジングの一の側およびその反対側からそれぞれそのハウジングを包み込み、前記灯体内の導電部分と電気的に接続される第１シールドカバーおよび第２シールドカバーとを備えることを特徴とする放電灯始動装置。
【請求項２】
前記ソケット部は前記ハウジングの一の面側に突設され、前記第１シールドカバーは、前記ハウジングの一の面側からその側周部を覆う形状に形成され、前記第２シールドカバーは、前記ハウジングの一の面とは反対の面側からその側周部を覆う形状に形成され、前記第１シールドカバーには、前記ソケット部の周部を覆う筒部が一体に形成され、その筒部の外周面に、前記灯体内の導電部分と電気的に接続される接続部が形成されていることを特徴とする請求項１記載の放電灯始動装置。
【請求項３】
前記ソケット部は前記ハウジングの一の面側に突設され、前記第１シールドカバーは、前記ハウジングの一の面側からその側周部を覆う形状に形成され、前記第２シールドカバーは、前記ハウジングの一の面とは反対の面側からその側周部を覆う形状に形成され、前記第２シールドカバーの側周部の外周面に、前記灯体内の導電部分と電気的に接続される接続部が形成されていることを特徴とする請求項１記載の放電灯始動装置。
【請求項４】
前記接続部は弾性を有することを特徴とする請求項２または３記載の放電灯始動装置。
【請求項５】
請求項１から４のいずれかに記載の放電灯始動装置と、前記点灯装置とを備えることを特徴とする放電灯点灯装置。
【発明の詳細な説明】
【０００１】
【発明の属する技術分野】
本発明は、点灯装置から、灯体内で支持される高輝度放電（ＨＩＤ）灯などの放電灯への電力供給経路上に介設される放電灯始動装置およびこれを具備する放電灯点灯装置に関するものである。
【０００２】
【従来の技術】
近年、自動車の前照灯として、高輝度、長寿命であり、省エネに優れた高輝度放電灯が主流となっている。この種の放電灯は、一般的にイグナイタおよびインバータにより構成される放電灯点灯装置から電力の供給を受けて動作するのが、その動作時に放電灯ないし放電灯点灯装置から放射ノイズが発生し、これがラジオからの音声に雑音として現れることがあるため、その雑音対策が施される。
【０００３】
例えば、特許文献１には、図１２に示すように、ランプソケットＬＳの背面からその側面を覆う導電性のシールドカバー１４を設け、放電灯４にランプソケットＬＳを装着したときに、シールドカバー１４と灯体の反射板２２とを電気的に接続する放電灯照明器具が開示されている。
【０００４】
図１３は別の従来の放電灯始動装置を示す斜視図である。図１３の放電灯始動装置１は、放電灯に装着されるソケット部１０を一体に有する絶縁樹脂製のハウジングＡを備え、そのハウジングＡ内にイグナイタを収納するものであり、図１２の放電灯照明器具と同様に、ハウジングＡの背面からその側面を覆う導電性のシールドカバー１４が設けられている。
【０００５】
【特許文献１】
特開２０００−１８２４２７号公報
【０００６】
【発明が解決しようとする課題】
しかしながら、上記図１２，図１３のものでは、ランプソケットなどのハウジングを背面側のみからシールドカバーで覆う構造になっているため、ハウジングの正面側からノイズが漏れる恐れがあり、より一層強化されたノイズ規制に対応させることが困難となっていた。
【０００７】
本発明は、上記事情に鑑みてなされたものであり、従来よりもノイズ対策を強化することができる放電灯始動装置および放電灯点灯装置を提供することを目的とする。
【０００８】
【課題を解決するための手段】
上記課題を解決するための請求項１記載の発明は、点灯装置から灯体内で支持される放電灯への電力供給経路上に介設される放電灯始動装置であって、前記放電灯に装着されるソケット部を一体に有するハウジングと、このハウジング内に収納されるとともに、前記点灯装置から前記ソケット部に装着される放電灯の各電極への電力供給経路上に介設され、前記放電灯の始動時に高圧パルス電圧を前記放電灯に印加するパルストランスと、前記ハウジングの一の側およびその反対側からそれぞれそのハウジングを包み込み、前記灯体内の導電部分と電気的に接続される第１シールドカバーおよび第２シールドカバーとを備えることを特徴とする。
【０００９】
この構成では、ハウジングが、灯体内の導電部分と電気的に接続される第１シールドカバーおよび第２シールドカバーにより、ハウジングの一の側およびその反対側から包み込まれるので、従来よりもノイズ対策が強化されることになる。
【００１０】
請求項２記載の発明は、請求項１記載の放電灯始動装置において、前記ソケット部は前記ハウジングの一の面側に突設され、前記第１シールドカバーは、前記ハウジングの一の面側からその側周部を覆う形状に形成され、前記第２シールドカバーは、前記ハウジングの一の面とは反対の面側からその側周部を覆う形状に形成され、前記第１シールドカバーには、前記ソケット部の周部を覆う筒部が一体に形成され、その筒部の外周面に、前記灯体内の導電部分と電気的に接続される接続部が形成されていることを特徴とする。この構成では、ハウジングが、第１シールドカバーおよび第２シールドカバーにより、ソケット部が突設されたハウジングの一の面側、およびその反対の面側から包み込まれ、第１シールドカバーおよび第２シールドカバーが、ソケット部の周部を覆う筒部の外周面に形成された接続部で灯体内の導電部分と電気的に接続されるので、従来よりもノイズ対策が強化されることになる。
【００１１】
請求項３記載の発明は、請求項１記載の放電灯始動装置において、前記ソケット部は前記ハウジングの一の面側に突設され、前記第１シールドカバーは、前記ハウジングの一の面側からその側周部を覆う形状に形成され、前記第２シールドカバーは、前記ハウジングの一の面とは反対の面側からその側周部を覆う形状に形成され、前記第２シールドカバーの側周部の外周面に、前記灯体内の導電部分と電気的に接続される接続部が形成されていることを特徴とする。この構成では、ハウジングが、第１シールドカバーおよび第２シールドカバーにより、ソケット部が突設されたハウジングの一の面側、およびその反対の面側から包み込まれ、第１シールドカバーおよび第２シールドカバーが、第２シールドカバーの側周部の外周面に形成された接続部で灯体内の導電部分と電気的に接続されるので、従来よりもノイズ対策が強化されることになる。
【００１２】
請求項４記載の発明は、請求項２または３記載の放電灯始動装置において、前記接続部は弾性を有することを特徴とする。この構成では、接続部が灯体内の導電部分に弾接するので、第１シールドカバーおよび第２シールドカバーと灯体内の導電部分との電気的接続が好適に維持されるようになる。
【００１３】
請求項５記載の発明の放電灯点灯装置は、請求項１から４のいずれかに記載の放電灯始動装置と、前記点灯装置とを備えることを特徴とする。この構成では、従来よりもノイズ対策が強化されることになる。
【００１４】
【発明の実施の形態】
（実施形態１）
図１は放電灯始動装置の一部分解斜視図、図２は同放電灯始動装置の斜視図、図３は同放電灯始動装置を含む前照灯の一部断面図、図４は図３の前照灯に含まれる放電灯点灯装置のブロック図、図５は同放電灯点灯装置における放電灯始動装置の回路図である。
【００１５】
図３〜図５に示すように、実施形態１の放電灯始動装置１は、自動車の前照灯の放電灯点灯装置に使用され、灯体２外の点灯装置としてのインバータ３から灯体２内で支持される放電灯（高輝度放電灯）４への電力供給経路上に介設されている。なお、各部品の方向は、必ずしも以下に限定されるものではないが、取付状態での自動車の方向を基準にしてある。
【００１６】
灯体２は、前方に開口２０ａを有する箱状に形成され、放電灯４の交換用窓２０ｂおよびハーネス挿通孔２０ｃをそれぞれ後面部（底部）２０２および下側面部２０６に有する灯体ハウジング２０と、この開口２０ａを閉塞するように設けられる灯体レンズ２１と、凹面状に形成され、極を後方にして灯体ハウジング２０内に設けられる導電性の反射板２２と、後面部２０２に着脱自在に交換用窓２０ｂを閉塞するキャップ２３と、反射板２２による反射光の光軸を調整するための光軸調整ねじ２４とにより構成されている。
【００１７】
インバータ３は、灯体ハウジング２０の下側面部２０６の外面に取着され、ハーネスＨ１を介して得られるＤＣ１２Ｖ電源（バッテリ）５からの直流電力を、交流電力に変換し、この交流電力を、ハーネス挿通孔２０ｃに挿通されたハーネスＨ２および放電灯始動装置１を介して放電灯４に供給するものである。なお、高輝度放電灯用のインバータ３の具体構成は周知であるので、その説明は省略する。
【００１８】
放電灯始動装置１は、図１，図２，図４に示すように、前ハーフ１１および後ハーフ１２により構成され内部に収納室を持つ絶縁樹脂製のハウジングと、このハウジング内の収納室に収納されるイグナイタＩＧと、ハウジングの一の側およびその反対側からそれぞれそのハウジングを包み込み、灯体２内の反射板２２と電気的に接続されるシールドカバー１３およびシールドカバー１４とを備えている。
【００１９】
前ハーフ１１および後ハーフ１２は、ともに例えば箱状に形成され、一方の前ハーフ１１には、底部となる前面部１１１から前方に膨出する有底筒状のソケット部１０が一体に形成されている。そのソケット部１０内には、穴１０ａおよびこれを囲繞する輪状溝１０ｂを形成する筒部１００が突設されている。そして、ソケット部１０内には、これが灯体２内の反射板４で支持される放電灯４に装着されたときに、放電灯４の一の電極４１と接続される端子Ｔ４１，Ｔ４２の一部が、内部から穴１０ａ内に引き出され、放電灯４の他の電極４２と接続される端子Ｔ４３の一部が、内部から輪状溝１０ｂの外周縁寄りの箇所に引き出されている。なお、図２のＴ４１，Ｔ４２は逆でもよい。
【００２０】
また、前ハーフ１１の上側面部１１５（図３参照）には、ハーネスＨ２との接続部１１０が突設されている。この突状の接続部１１０内には、ハーネスＨ２の３つの導体線またはそのコネクタの３つの端子とそれぞれ個別に接続される端子Ｔ３１，Ｔ３２，Ｔ３３が設けられている。
【００２１】
イグナイタＩＧは、図５に示すように、上記各端子のほか、コンデンサＣ１、放電ギャップＧ１およびパルストランスＴ１などにより構成されている。コンデンサＣ１は、端子Ｔ３２，Ｔ４２間に介設され、放電ギャップＧ１は、一端が端子Ｔ４２と接続されている。パルストランスＴ１は、放電ギャップＧ１の他端と端子Ｔ３２との間に接続される一次巻線ｎ１と、端子Ｔ３３，Ｔ４３間に介設される２次巻線ｎ２とを、図５に示す極性で有している。
【００２２】
ここで、イグナイタＩＧの一動作例について説明する。放電灯４の始動時、インバータ３からの電圧が端子Ｔ３１，Ｔ３２間および端子Ｔ３１，Ｔ３３間に印加する。上記電圧が端子Ｔ３１，Ｔ３２間に印加すると、コンデンサＣ１が充電されてその両端電圧が上昇する。この後、その両端電圧が放電ギャップＧ１のブレークオーバ電圧を超えると、コンデンサＣ１が放電し、コンデンサＣ１、放電ギャップＧ１および１次巻線ｎ１の閉ループに電流が流れ、２次巻線ｎ２に高圧パルス電圧が発生する。そして、その高圧パルス電圧が、端子Ｔ３１，Ｔ３３間に印加する電圧に重畳して放電灯４に印加することにより、放電灯４が始動し、安定点灯に至る。
【００２３】
図１，図２に戻って、シールドカバー１３は、ハウジングの前面側からその側周部を覆う箱状に形成され、前面部（底部）１３１には、ソケット部１０の周部を覆う筒部１３０が前方に一体に突設されている。また、シールドカバー１３の上面部１３５には、前ハーフ１１の突状の接続部１１０に対応する切欠け１３ａが形成されている。
【００２４】
一方、シールドカバー１４は、ハウジングの後面側からその側周部を覆う箱状に形成されている。なお、図１の１５は、前ハーフ１１の接続部１１０に填め込まれる金具である。
【００２５】
そして、図２の例では、シールドカバー１３の方がシールドカバー１４よりも大きく、シールドカバー１４の側周部がシールドカバー１３内に填る込むようになっているが、この関係は逆でも良いことは言うまでもない。また、シールドカバー１３の側周部の内面には、シールドカバー１４の側周部の外面に押圧する凸部（図１の凹部１３ｂがその凸部に対応）が形成され、シールドカバー１３およびシールドカバー１４を簡単に固定することができるようになっている。なお、これに限らず、凹凸嵌合用の凹部をシールドカバー１３およびシールドカバー１４の一方に形成し、凸部を他方に形成するようにしてもよい。
【００２６】
上記構成のシールドカバー１３，１４のハウジングへの取付けについては、先ずシールドカバー１４をハウジングの後面側に填め込み、次いで、シールドカバー１３をハウジングの前面側に填め込み、シールドカバー１３の側周部内面の各凸部をシールドカバー１４の側周部外面に押圧させる。これにより、取付けが完了する。
【００２７】
上記のように、ハウジングの一の側およびその反対側からそれぞれそのハウジングを包み込み、灯体２内の反射板２２と電気的に接続されるシールドカバー１３およびシールドカバー１４を設けることにより、従来よりもノイズ対策を強化することができる。
【００２８】
なお、シールドカバー１３，１４については、金属プレス（深絞り加工）により形成するようにしてもよく、導電性樹脂により形成（射出成形）するようにしてもよく、あるいは絶縁性樹脂により形成（射出成形）して、表面に導電性のメッキまたはコーティングを加えるようにしてもよい。
【００２９】
（実施形態２）
図６は放電灯始動装置の斜視図、図７は同放電灯始動装置における前側のシールドカバーの斜視図、図８は同放電灯始動装置の取付説明図である。
【００３０】
実施形態２の放電灯始動装置１は、実施形態１との相違点として、図６，図７に示すように、シールドカバー１３の筒部１３０の外周面に、灯体２内の導電部分と電気的に接続される、外に凸の接続部１３０ａが、一対対向的に配置され、それら接続部１３０ａが弾性を有していることを特徴とする。
【００３１】
なお、図７の例では、段付きの突片１３５ａが、シールドカバー１３の上面部１３５に突設され、その突片１３５ａの両側にスリットが形成されている。
【００３２】
ところで、放電灯４側の構造については、図８に示すように、放電灯４のピン状の電極４１およびこれを囲繞するリング状の電極４２側が挿通される孔の開いた椀状導電部材２２０が、反射板２２の極側後方に取着されている。そして、その椀状導電部材２２０には、上記孔の周縁部から後方に立設された一対の把持部２２１，２２１が形成されている。なお、２２２は、放電灯４を固定するためのばねである。
【００３３】
したがって、放電灯４の電極４１，４２を、それぞれハウジングのソケット部１０における穴１０ａおよび輪状溝１０ｂに填め込み、放電灯始動装置１を放電灯４に回転係止（放電灯４側のベース側面から左右方向に突設された凸部をソケット部１０内の溝に係止）すれば、一対の接続部１３０ａがそれぞれ一対の把持部２２１，２２１の先端内側の所（２２１ａ）に載り入ることになる。
【００３４】
このように、一対の接続部１３０ａがそれぞれ一対の把持部２２１，２２１に弾接することにより、シールドカバー１３，１４が、椀状導電部材２２０に電気的に接続され、その椀状導電部材２２０を介して反射板２２に電気的に接続されることになる。
【００３５】
なお、放電灯始動装置１の放電灯４への係止は、上記の如くソケット部１０の所で行われるが、上記一対の接続部１３０ａにさらに係止機能を持たせるようにしてもよい。例えば、接続部１３０ａが接触する把持部２２１の先端内側の後方に係止爪を形成し、その係止爪に接続部１３０ａの後縁を係止するようにしてもよい。
【００３６】
また、椀状導電部材２２０は、反射部２２と別体になっているが、反射部２２と一体であってもよい。
【００３７】
（実施形態３）
図９は放電灯始動装置の取付説明図である。
【００３８】
実施形態３の放電灯始動装置１は、実施形態１との相違点として、図９に示すように、シールドカバー１４の側周部の外周面に、灯体２内の導電部分と電気的に接続される、前方に凸の接続部１４０ａが設けられ、その接続部１４０ａが弾性を有していることを特徴とする。
【００３９】
放電灯４側の構造については、反射板２２に対して一体または別体の凹状の受け部２２３が、反射板２２と電気的に接続され、接続部１４０ａが受け部２２３に弾接するようになっている。つまり、放電灯４の電極４１，４２を、それぞれハウジングのソケット部１０における穴１０ａおよび輪状溝１０ｂに填め込み、放電灯始動装置１を放電灯４に回転係止すれば、前方に凸の接続部１４０ａが凹状の受け部２２３に載り入ることになる。
【００４０】
このように、接続部１４０ａが受け部２２３に弾接することにより、シールドカバー１３，１４が、受け部２２３を介して反射板２２に電気的に接続されることになる。
【００４１】
なお、接続部１４０ａおよび受け部２２３を２組設け、接続部１４０ａと受け部２２３とを互いに係止するようにし、電気的および機械的に接続するようにしてもよい。
【００４２】
（実施形態４）
図１０は放電灯始動装置の取付説明図である。
【００４３】
実施形態４の放電灯始動装置１は、実施形態１との相違点として、図１０に示すように、シールドカバー１３の筒部１３０が、放電灯４のベースを囲繞する導電性の筒状板２５の後方縁部から突設された複数の押さえばね２５１内に填り込んで、反射板２２と電気的に接続されることを特徴とする。
【００４４】
つまり、筒状板２５は反射板２２に電気的に接続されているので、筒部１３０が輪状に配列された複数の押さえばね２５１内に填り込むことにより、筒状板２５に電気的に接続され、その筒状板２５を介して反射板２２と電気的に接続されるようになっているのである。
【００４５】
（実施形態５）
図１１は放電灯始動装置に接続されるハーネスに対するシールド構造を示す図である。
【００４６】
実施形態５の放電灯始動装置１は、実施形態２と同様に構成され、シールドとしてハーネスＨ２を被覆するメッシュ状の導電シースＳの端部が、接続部１１０と金具１５との間に挟み込まれて固定されることを特徴とする。
【００４７】
例えば、金具１５を導電シースＳで覆われた接続部１１０に圧着することにより固定され、導電シースＳは、シールドカバー１３，１４内に挟み込まれる。なお、突片１３５ａは、導電シースＳ内に挿入するようにしてもよい。
【００４８】
そして、シールドカバー１３に段付きの突片１３５ａが設けられ、その両側にスリットが形成されているので、導電シースＳの固定を容易にでき、シールドカバー１３の組み付き時のがたつきおよび導電シースＳの挟み込みによる浮きを防止することができ、シールド効果が安定し、また組立てが容易となる。
【００４９】
【発明の効果】
本発明によれば、従来よりもノイズ対策を強化することができる。
【図面の簡単な説明】
【図１】放電灯始動装置の一部分解斜視図である（実施形態１）。
【図２】同放電灯始動装置の斜視図である。
【図３】同放電灯始動装置を含む前照灯の一部断面図である。
【図４】図３の前照灯に含まれる放電灯点灯装置のブロック図である。
【図５】同放電灯点灯装置における放電灯始動装置の回路図である。
【図６】放電灯始動装置の斜視図である（実施形態２）。
【図７】同放電灯始動装置における前側のシールドカバーの斜視図である。
【図８】同放電灯始動装置の取付説明図である。
【図９】放電灯始動装置の取付説明図である（実施形態３）。
【図１０】放電灯始動装置の取付説明図である（実施形態４）。
【図１１】放電灯始動装置に接続されるハーネスに対するシールド構造を示す図である（実施形態５）。
【図１２】従来の放電灯照明器具を示す斜視図である。
【図１３】別の従来の放電灯始動装置を示す斜視図である。
【符号の説明】
１  放電灯始動装置
１０  ソケット部
１１  前ハーフ
１２  後ハーフ
１３  シールドカバー
１４  シールドカバー
２  灯体
３  インバータ
４  放電灯
【図１】
2004356070.tif 000003
【図２】
2004356070.tif 000004
【図３】
2004356070.tif 000005
【図４】
2004356070.tif 000006
【図５】
2004356070.tif 000007
【図６】
2004356070.tif 000008
【図７】
2004356070.tif 000009
【図８】
2004356070.tif 000010
【図９】
2004356070.tif 000011
【図１０】
2004356070.tif 000012
【図１１】
2004356070.tif 000013
【図１２】
2004356070.tif 000014
【図１３】
2004356070.tif 000015